(57)【要約】  第１磁性材料を備える台座部分２と、第２部分３とを有する照明装置１が開示されている。前記第２部分は、光源４と、本質的に閉じられているキャビティを規定する非磁性外殻５とを有し、前記光源４と前記非磁性外殻とが、固定された位置関係にあり、前記本質的に閉じられているキャビティが、前記本質的に閉じられているキャビティ内で移動可能な第２磁性材料を囲む。これは、ユーザが、容易に、高い自由度で、前記光源４の位置を決め得る照明装置１を提供する。
2013506246.tif 000002
【特許請求の範囲】
【請求項１】
第１磁性材料を備える台座部分と、
第２部分とを有する照明装置であり、前記第２部分が、
光源と、
本質的に閉じられているキャビティを規定する非磁性外殻とを有し、前記光源と前記非磁性外殻とが、固定された位置関係にある照明装置であって、
前記本質的に閉じられているキャビティが、前記本質的に閉じられているキャビティ内で移動可能な第２磁性材料を囲むことを特徴とする照明装置。
【請求項２】
前記第１磁性材料が、少なくとも１つの永久磁石を有し、前記第２磁性材料が、強磁性材料を有する請求項１に記載の照明装置。
【請求項３】
前記第２材料が、複数の強磁性材料素子を有する請求項２に記載の照明装置。
【請求項４】
前記素子がボール状である請求項３に記載の照明装置。
【請求項５】
前記台座部分に配設されるバッテリを更に有する請求項１乃至４のいずれか一項に記載の照明装置。
【請求項６】
前記第１磁性材料と前記第２磁性材料との間の磁力が、前記台座部分における重力より大きい請求項１乃至５のいずれか一項に記載の照明装置。
【請求項７】
前記非磁性外殻が、冷却素子を有する請求項１乃至６のいずれか一項に記載の照明装置。
【請求項８】
前記非磁性外殻が、少なくとも部分的に球状である請求項１乃至７のいずれか一項に記載の照明装置。
【発明の詳細な説明】
【技術分野】
【０００１】
本発明は、照明装置に関する。
【背景技術】
【０００２】
様々なパーツが磁気を用いて結合される照明装置は知られている。US2009/0086478は、個々の照明モジュールの磁性材料と、フレームの磁性材料との間の引力を用いてフレームに取り付けられる着脱可能な照明モジュールを備える照明システムの形態の照明装置を開示している。これは、道具なしに、手動で、照明モジュールを、フレームに取り付けること、フレームから取り外すこと、又はフレームに再配置することを可能にする。
【０００３】
この既知の照明装置は、照明モジュールの位置決めにおけるユーザの選択における幾らかの柔軟性を考慮に入れているが、依然として、照明モジュールは、フレームの所定の構造に従ってしか、フレームに取り付けられることができないというという不利な点を抱えている。これは、方向であって、ユーザが、前記方向に放射される光を選び得る方向に制限を課す。
【発明の概要】
【発明が解決しようとする課題】
【０００４】
本発明の目的は、この従来技術に基づいて、この不利な点を解決する照明装置を提供すること、及びより柔軟な照明装置を提供することである。
【課題を解決するための手段】
【０００５】
本発明の第１の態様によれば、この目的は、第１磁性材料を備える台座部分と、第２部分とを有する照明装置であり、前記第２部分が、光源と、本質的に閉じられているキャビティを規定する非磁性外殻とを有し、前記光源と前記非磁性外殻とが、固定された位置関係にある照明装置であって、前記本質的に閉じられているキャビティが、前記本質的に閉じられているキャビティ内で移動可能な第２磁性材料を囲む照明装置によって達成される。
【０００６】
これは、ユーザが、容易に、高い自由度で、前記光源の位置を決め得る照明装置を提供する。なぜなら、前記第２部分が前記ユーザによって動かされる場合に、前記光源が追従するからである。従って、光源からの光は、前記ユーザにより、前記第２部分をつかみ、前記台座部分に対して動かすことによって、任意の望まれる位置に向けられことができる。
【０００７】
磁性材料という用語は、永久磁石、又は永久磁石によって強く引き付けられる材料であると解釈されるべきである。
【０００８】
この照明装置は、磁性外殻を備える照明装置と比べて、ガラスのような他の光学特性を持つ外殻が用いられ得るという利点を更に有する。
【０００９】
例えば、前記第１磁性材料は、少なくとも１つの永久磁石を有してもよく、前記第２磁性材料は、強磁性材料を有してもよい。永久磁石材料は、一般に、強磁性材料より高価であるので、前記磁性材料のうちの１つだけを永久磁石材料として設けることは、コストを低減する。
【００１０】
前記第２材料は、複数の強磁性材料素子を有してもよい。これは、前記強磁性材料の、前記非磁性外殻に対するより柔軟な調節を供給する。なぜなら、前記強磁性材料素子は、前記強磁性材料と前記永久磁石との間の最小距離を供給する、前記非磁性外殻の内面にフィットしようとするだろうからである。好ましくは、前記素子はボール状である。これは、前記素子の最適なパッケージング、及び前記閉じられているキャビティ内での前記素子の容易な移動を供給する。
【００１１】
前記照明装置は、前記台座部分２に配設されるバッテリ８を更に有してもよい。このため、前記台座部分２は、中空空間であって、前記中空空間内に前記バッテリ８が配設される、バッテリ室としての役割を果たす中空空間を持つ。前記バッテリ室は、下部１２によって閉じられてもよい。前記バッテリ８は、第２部分に含まれる電気装置のための電源としての役割を果たす。前記電気装置は、例えば光源４を含む。これは、外部電源に接続する電線を無用にし、従って、前記照明装置は、より容易に、様々な場所に配置されることができる。
【００１２】
前記第１磁性材料と前記第２磁性材料との間の磁力は、前記台座部分における重力より大きくてもよい。これは、前記台座部分にとって有害であり得る、前記台座部分が外れ落ちることなしに、前記第２部分によって、前記照明装置全体が持ち上げられることを可能にする。
【００１３】
前記非磁性外殻は、更に、冷却素子を有してもよい。前記冷却素子は、前記非磁性外殻に固定されるようにして接続されてもよい。前記冷却素子は、熱を前記光源から遠くへ導くよう構成される。
【００１４】
前記非磁性外殻は、例えば、少なくとも部分的に球状であってもよい。これは、容易に、前記台座部分上に様々な空間角で配置される、前記第２部分を供給する。
【００１５】
本発明は、請求項において列挙されている特徴の全てのあり得る組み合わせに関することに注意されたい。
【００１６】
ここで、本発明の実施例を示す添付の図面を参照して、本発明のこの及び他の態様についてより詳細に記載する。図面全体を通じて、同様の符号は同様の特徴を指す。
【図面の簡単な説明】
【００１７】
【図１】本発明の好ましい実施例による照明装置を示す。
【図２】図１の照明装置の分解図を示す。
【図３】図１の照明装置の一部の断面を示す。
【発明を実施するための形態】
【００１８】
図１は、本発明の好ましい実施例による照明装置１を示している。照明装置は、台座部分２と、光源４を持つ第２部分３とを有する。図示されている例においては、光源４は、少なくとも１つの発光ダイオード（ＬＥＤ）の形態である。ＬＥＤは、白色、赤色、青色、アンバー、若しくは緑色のもの、又はそれらの組み合わせであり得る。ＬＥＤは、非磁性外殻５の円形前部においてプリント回路基板（ＰＣＢ）に配置される。冷却素子１１がＰＣＢにつながっており、それによって、ＬＥＤの冷却を供給する。
【００１９】
第２部分３は、本質的に閉じられているキャビティを規定する非磁性外殻５を更に有する。閉じられているキャビティは、非磁性外殻５によって囲まれるトランペット状の冷却素子１１によって規定される。この方法においては、トーラス状のキャビティが形成される。当然、閉じられているキャビティを形成する他の方法も用いられ得る。回転対称キャビティを用いることは有利である。なぜなら、これは、第２部分を３６０°回転させることに対する備えがなされているからである。
【００２０】
好ましくは、非磁性外殻５は、透明なガラスで作成されるが、プラスチックなどの適切な光学特性を持つ他の材料、及び半透明のガラスが用いられてもよい。光源４及び非磁性外殻５は、非磁性外殻５が動かされる場合には、光源４も動かされるような、固定された位置関係にある。
【００２１】
図２は、図１に図示されている照明装置１の分解図を示している。照明装置１は、第１磁性材料７を備える台座部分２を有する。第１磁性材料７は、少なくとも１つの永久磁石の形態である。好ましくは、２つ以上の永久磁石が存在する。図示されている例においては、１つの永久磁石が、好ましくは周囲パターンの、多数の他の永久磁石によって囲まれる中心に配設されており、例えば、１つの永久磁石が６個の永久磁石によって囲まれる。パターンは、例えば、円形、正方形、六角形又は任意の他の多角形であり得る。例えば円形の形状を持つ１つの永久磁石しか用いないことも可能である。他の例においては、多数の永久磁石が、円形、正方形、六角形又は任意の他の多角形に配設される。
【００２２】
本質的に閉じられているキャビティは、その中で移動可能な第２磁性材料６を囲む。これは、第２部分３の柔軟な調節を供給する。図示されている例においては、第２磁性材料６は、複数の強磁性材料素子を有する。複数の強磁性材料素子は、強磁性材料６と永久磁石７との間の最小距離を供給する、非磁性外殻の内面にフィットしようとするだろう。好ましくは、素子は、ボール状であり、これは、素子の最適なパッケージング、及び閉じられているキャビティ内での容易な移動を供給する。当然、素子は、立方体又は任意の他の３次元形状のような、他の形状をしていてもよい。摩擦を減らすために、素子には潤滑油が加えられ得る。強磁性材料は、例えば、鉄球又は鋼球の形態の、鉄を有する。他の例においては、非磁性外殻５は、固定された形状の磁性材料、例えば、球状キャップの磁性材料を有する。即ち、その形態の部分は、非磁性外殻５の内面の一部に沿う。例えば、非磁性外殻５が本質的に球状である場合には、磁性材料の部分は、球形の内面に沿う形態で湾曲されるだろう。磁性材料の湾曲部は、例えば、少なくとも３つの場合によっては非磁性の軸受球によって支持される。軸受球は、磁性材料に回転可能に埋め込まれる。軸受球は、磁性材料の移動を容易にするために注油されてもよい。
【００２３】
好ましい実施例においては、第１磁性材料７は、少なくとも１つの永久磁石を有し、第２磁性材料６は、強磁性材料を有する。第１及び第２材料の構成は、図３により詳細に示されている。前記構成は、好ましくは鉄製の底板１３であって、前記底板１３の上に配設されるリング１０を備える底板１３を有する。底板１３の上には、多数の磁石７が配設される。永久磁石は、非磁性外殻５によって第２磁性材料６から分離される。中央にある永久磁石は、底板１３の方へ下を向いているその磁北極７'と、第２磁性材料６の方へ上を向いているその磁南極７''とを持つ。周囲の永久磁石は、それらの磁南極７''が、底板１３の方へ下を向いており、それらの磁北極が、第２磁性材料６の方へ上を向いているように、逆に配設される。この方法においては、底板が磁路の役割を果たし、磁場１４が作成され、それによって、疑似ポット磁石（pseudo pot magnet）を作成する。明らかに、永久磁石は、中央にある永久磁石が、底板１３の方へ下を向いているその磁南極と、第２磁性材料６の方へ上を向いているその磁北極とを持つような他の方法でも配設され得る。同様に、周囲の永久磁石は、その場合、それらの磁北極が、底板１３の方へ下を向いており、それらの磁南極が、第２磁性材料６の方へ上を向いているように、逆に配設されるだろう。ポット磁石を用いるのが好ましい。なぜなら、これは、強い磁場を作成するからである。しかし、それは、かなり高価である。それ故、他の例においては、例えば、上で説明した永久磁石の構成の例の１つのように、多数の永久円盤磁石を、疑似ポット磁石の底部を形成するように、鉄板上に配設することによって、疑似ポット磁石が用いられ得る。
【００２４】
他の例においては、第１磁性材料７が、強磁性材料を有し、第２磁性材料６が、少なくとも１つの永久磁石を有する。これは、第２磁性材料６が、球状キャップのような１つの磁石である場合に特に有利である。
【００２５】
照明装置１は、台座部分２に配設されるバッテリ８を更に有する。バッテリは、第２部分に含まれる電気装置のための電源としての役割を果たす。電気装置は、例えば、光源４を含む。バッテリ８を備える台座部分２は、第２部分３の中の光源４と、電線９を介して、電気的に接続される。これは、この方法における台座部分２及び第２部分３は、これらのパーツのうちの一方が置き忘れられないように接続されているので、有利である。他の例においては、バッテリ８は、第２部分の中に配設され得る。この方法においては、台座部分２と第２部分３との間の電線は必要ない。バッテリ８と光源４と間の電力は、例えば、インダクタ、例えば誘導コイル、を用いて、磁気誘導によって伝送されることもでき、それによって、電線を無用にする。これは、更に、同一の第２部分３と一緒に用いられる様々な台座部分を供給する。
【００２６】
図示されている例においては、第１磁性材料７と第２磁性材料６との間の磁力は、第２部分３が持ち上げられる場合に、有害になり得る、２つのパーツが分離し、落ちることなしに、台座部分２が続くように、台座部分２における重力より大きい。
【００２７】
台座部分２の、第２部分３からの分離を容易にするために、台座部分２と第２部分３との間のほんのわずかの隙間が両パーツを容易に分離するために作成され得るような機械てこが実装されてもよい。実施例においては、てこの一方の端部が第２部分３の非磁性外殻５の下に配置され、てこの他方の端部が台座部分２の外部に配置される。この方法においては、台座部分２と非磁性外殻５との間の磁力は、これらの２つのパーツ間の距離に対して直線的より大幅に減少すると仮定し、両パーツを容易に分離するためには、非磁性外殻５と台座部分２との間の隙間はほんのわずかしか作成される必要がない。例えば、てこは、てこの回動が非磁性外殻５を数ミリメートル傾かせるように配設され得る。他の例においては、電源が切られる場合には台座部分２と第２部分３との間の磁力が消え、それによって、台座部分２と第２部分３との間の分離を容易にするような、少なくとも１つの電磁石が用いられる。その代わりに、磁性材料は、電源がオンにされる場合には逆方向電磁石を作成し、それによって、第１及び第２磁性材料が両方とも永久磁石である場合に、磁力を中和する、又は第１及び第２磁性材料を互いから遠ざけさえする、少なくとも１つの電磁石を有してもよい。
【００２８】
非磁性外殻５は、冷却素子１１を有する。ここでは、非磁性外殻５は、前記非磁性外殻５に固定されるようにして接続される冷却素子１１を有する。更に、光源４は、非磁性外殻５に固定されるようにして接続される。好ましくは、非磁性外殻５は、少なくとも部分的に球状である。これは、容易に、台座部分上に様々な空間角で配置される、第２部分を供給する。非磁性外殻５の球状部の一部は、台座部分２に含まれる、プラスチックリング１０のようなリング１０と接触している。これは、非磁性外殻５を様々な方向に向けるのを容易にする。
【００２９】
当業者には、本発明が、決して、上記の好ましい実施例に限定されないことは分かるであろう。逆に、添付の請求項の範囲内で多くの修正及び変更が可能である。
【図１】
2013506246.tif 000003
【図２】
2013506246.tif 000004
【図３】
2013506246.tif 000005
【国際調査報告】
2013506246.tif 000006
2013506246.tif 000007
2013506246.tif 000008